(57)【要約】【課題】収納容器と仕切棚との相対的な位置を正確にすることが出来る冷蔵庫用支持部材およびそれを備えた冷蔵庫を提供する。【解決手段】支持部材３２は、冷蔵庫１０の冷蔵室１６を上下方向に区画する仕切棚３０と、仕切棚３０の下方で前後方向に引き出し可能に配置される引出式収納容器３１と、が設置された冷蔵室１６の内部側面に配設される。支持部材３２は、仕切棚３０の前端側に接触することで仕切棚３０の位置を規制する仕切棚規制部３３と、引出式収納容器３１の側面に形成されたレール部３８に摺動可能に接触する収納容器ガイド部３４部と、を有している。【選択図】図４
2020020527.tif 000002
【特許請求の範囲】
【請求項１】
冷蔵庫の貯蔵室を上下方向に区画する仕切棚と、前記仕切棚の下方で前後方向に引き出し可能に配置される引出式収納容器と、が設置された前記貯蔵室の内部側面に配設される支持部材であって、
前記仕切棚の前端側に接触し前記仕切棚の位置を規制する仕切棚規制部と、前記引出式収納容器の側面に形成されたレール部に摺動可能に接触する収納容器ガイド部と、を具備することを特徴とする冷蔵庫用支持部材。
【請求項２】
前記貯蔵室の前記内部側面に当接する板状の当接板状部を更に具備し、
前記仕切棚規制部および前記収納容器ガイド部は、前記当接板状部の主面から突出するように形成されることを特徴とする請求項１に記載の冷蔵庫用支持部材。
【請求項３】
前記当接板状部には、複数の取付孔が形成されていることを特徴とする請求項２に記載の冷蔵庫用支持部材。
【請求項４】
前記仕切棚規制部および前記収納容器ガイド部は、中抜き構造で形成されていることを特徴とする請求項１から請求項３の何れかに記載の冷蔵庫用支持部材。
【請求項５】
請求項１から請求項４の何れかに記載の冷蔵庫用支持部材を備えた冷蔵庫。
【発明の詳細な説明】
【技術分野】
【０００１】
本発明は、冷蔵庫用支持部材およびそれを備えた冷蔵庫に関し、特に、仕切棚および引出式収納容器の位置を規制する冷蔵庫用支持部材およびそれを備えた冷蔵庫に関する。
【背景技術】
【０００２】
一般的な冷蔵庫では、収納性を向上させるために、冷蔵室等の貯蔵室の内部に引出式の収納容器を設けることがある。
【０００３】
引出式の収納容器を貯蔵室内に配設する場合は、先ず、ガラスなどの板状部材から成る仕切棚により貯蔵室の内部を上下方向に区切る。そして、仕切棚の下方に、引出式の収納容器を配置する。また、収納容器の両側には、収納容器を前後方向にスライド可能に保持する保持機構が配設される。このような収納容器の構成は、例えば、特許文献１ないし特許文献３に記載されている。
【０００４】
収納容器を前後方向にガイドする構成としては、例えば、次のような構成が知られている。具体的には、収納容器の左右側面の一部をレール状に外側に突出させることでレール部を形成する。更に、内箱の内部側面を内側に向かって突出させることでガイド凸部を形成する。そして、収納容器のレール部を、内箱のガイド凸部で下方から支持する。係る構成により、貯蔵室の内部に於いて、収納容器は前後方向に沿ってスライド可能に支持される。また、上記した仕切棚も、内箱の内部に形成された段差部により支持される。
【先行技術文献】
【特許文献】
【０００５】
【特許文献１】特開２０１８−４４７４０号公報
【特許文献２】特許第５５２５９２８号公報
【特許文献３】特公平７−８９００６号公報
【発明の概要】
【発明が解決しようとする課題】
【０００６】
しかしながら、上記した構成の冷蔵庫では、貯蔵室の内部に於いて、正確な位置に収納容器を配設することが難しい課題があった。具体的には、貯蔵室を形成する内箱は真空成型等で成形されることから、ガイド凸部の位置および形状を安定的且つ正確に形成することが困難であった。よって、ガイド凸部により支持される収納容器の位置が設計値からずれてしまう課題があった。
【０００７】
また、上記したように、収納容器を上方から覆う仕切棚も、真空成形により形成した段差部により支持されている。よって、この段差部の位置および形状が設計値からずれると、仕切棚の位置も設計値からずれてしまう。
【０００８】
上記のことから、収納容器と仕切棚との相対的位置が設計値からずれると、両者の間隙が過大または過小になってしまう。このように成ると、この間隙を経由して所定量の冷気を流通させることができず、収納容器の内部が所定の温度帯域とならず、収納容器に収納される食品等の被貯蔵物を好適に冷却することができない恐れがある。
【０００９】
本発明は、上記の事情に鑑みてなされたものであり、本発明の目的とするところは、収納容器と仕切棚との相対的な位置を正確にすることが出来る冷蔵庫用支持部材およびそれを備えた冷蔵庫を提供することにある。
【課題を解決するための手段】
【００１０】
本発明は、冷蔵庫の貯蔵室を上下方向に区画する仕切棚と、前記仕切棚の下方で前後方向に引き出し可能に配置される引出式収納容器と、が設置された前記貯蔵室の内部側面に配設される冷蔵庫用支持部材であって、前記仕切棚の前端側に接触し前記仕切棚の位置を規制する仕切棚規制部と、前記引出式収納容器の側面に形成されたレール部に摺動可能に接触する収納容器ガイド部と、を具備することを特徴とする。
【００１１】
また、本発明の冷蔵庫用支持部材では、前記貯蔵室の前記内部側面に当接する板状の当接板状部を更に具備し、前記仕切棚規制部および前記収納容器ガイド部は、前記当接板状部の主面から突出するように形成されることを特徴とする。
【００１２】
また、本発明の冷蔵庫用支持部材では、前記当接板状部には、複数の取付孔が形成されていることを特徴とする。
【００１３】
また、本発明の冷蔵庫用支持部材では、前記仕切棚規制部および前記収納容器ガイド部は、中抜き構造で形成されていることを特徴とする。
【００１４】
また、本発明の冷蔵庫は、上記した冷蔵庫用支持部材を備えることを特徴とする。
【発明の効果】
【００１５】
本発明は、冷蔵庫の貯蔵室を上下方向に区画する仕切棚と、前記仕切棚の下方で前後方向に引き出し可能に配置される引出式収納容器と、が設置された前記貯蔵室の内部側面に配設される冷蔵庫用支持部材であって、前記仕切棚の前端側に接触し前記仕切棚の位置を規制する仕切棚規制部と、前記引出式収納容器の側面に形成されたレール部に摺動可能に接触する収納容器ガイド部と、を具備することを特徴とする。これにより、仕切棚と引出式収納容器との相対的位置を正確にすることができ、両者の間隙を所定の大きさにすることができる。よって、その間隙を流通する冷気が所定流量となることで、引出式収納容器の内部温度を所定の温度帯域にすることができる。
【００１６】
また、本発明の冷蔵庫用支持部材では、前記貯蔵室の前記内部側面に当接する板状の当接板状部を更に具備し、前記仕切棚規制部および前記収納容器ガイド部は、前記当接板状部の主面から突出するように形成されることを特徴とする。これにより、本発明の冷蔵庫用支持部材によれば、当接板状部が貯蔵室の内部側面に当接することで、冷蔵庫に安定して取り付けられることができる。
【００１７】
また、本発明の冷蔵庫用支持部材では、前記当接板状部には、複数の取付孔が形成されていることを特徴とする。これにより、本発明の冷蔵庫用支持部材によれば、取付孔を貫通する締結手段で、当接板状部を冷蔵庫の内部側面に容易に固定することができる。
【００１８】
また、本発明の冷蔵庫用支持部材では、前記仕切棚規制部および前記収納容器ガイド部は、中抜き構造で形成されていることを特徴とする。これにより、本発明の冷蔵庫用支持部材によれば、仕切棚規制部および収納容器ガイド部の強度を確保しつつ軽量化を図ることができる。
【００１９】
また、本発明の冷蔵庫は、冷蔵庫用支持部材を備えることを特徴とする。これにより、本発明の冷蔵庫によれば、冷蔵庫用支持部材により仕切棚と引出式収納容器との相対的位置を所定の値にすることができ、その間隙を流通する冷気が所定の流量となることで、引出式収納容器の内部温度を所定の温度帯域にすることができる。
【図面の簡単な説明】
【００２０】
【図１】本発明の実施形態に係る冷蔵庫を示す図であり（Ａ）は冷蔵庫を前方から見た斜視図であり、（Ｂ）は冷蔵庫の側面断面図である。
【図２】本発明の実施形態に係る冷蔵庫の内箱およびその内部を示す斜視図である。
【図３】本発明の実施形態に係る冷蔵庫の内箱およびその内部を示す分解斜視図である。
【図４】本発明の実施形態に係る冷蔵庫を示す図であり、（Ａ）は引出式収納容器を部分的に示す斜視図であり、（Ｂ）および（Ｃ）は支持部材を示す斜視図である。
【図５】本発明の実施形態に係る冷蔵庫を示す図であり、仕切棚を構成する仕切棚前部および仕切棚後部を離して示す斜視図である。
【図６】本発明の実施形態に係る冷蔵庫を示す図であり、（Ａ）は仕切棚および支持部材を示す斜視図であり、（Ｂ）は仕切棚および支持部材を離して示す分解斜視図である。
【図７】本発明の実施形態に係る冷蔵庫を示す図であり、（Ａ）は引出式収納容器の近傍を示す断面図であり、（Ｂ）は（Ａ）の要所を拡大して示す断面図である。
【図８】本発明の他の形態に係る支持部材を示す図であり、（Ａ）は支持部材を右側上方から見た斜視図であり、（Ｂ）は支持部材が仕切棚および引出式収納容器の位置を規制する状況を示す断面図である。
【発明を実施するための形態】
【００２１】
以下、本発明の実施形態に係る冷蔵庫１０を図面に基づき詳細に説明する。以下の説明では、上下方向は冷蔵庫１０の高さ方向を示し、左右方向は冷蔵庫１０の幅方向を示し、前後方向は冷蔵庫１０の奥行方向を示している。
【００２２】
図１（Ａ）は、本発明の実施形態に係る冷蔵庫１０の概略構造を示す斜視図であり、図１（Ｂ）は、本発明の実施形態に係る冷蔵庫１０の概略構造を示す側方断面図である。
【００２３】
図１（Ａ）に示すように、冷蔵庫１０は、本体としての断熱箱体１１を備え、この断熱箱体１１の内部に食品等を貯蔵する貯蔵室が形成されている。貯蔵室として、上段から、冷凍室１５（図１（Ｂ）参照）および冷蔵室１６（図１（Ｂ）参照）が形成されている。
【００２４】
断熱箱体１１の各貯蔵室の前面は開口し、上記開口には、各々断熱扉１７、断熱扉１８が開閉自在に設けられている。断熱扉１７は、前方から見て右端の上下端部が回動自在に断熱箱体１１により支持され、冷凍室１５の開口を前方から開閉自在に塞ぐ扉である。同様に、断熱扉１８は、前方から見て右端の上下端部が回動自在に断熱箱体１１により支持され、冷蔵室１６の開口を前方から開閉自在に塞ぐ扉である。
【００２５】
図１（Ｂ）に示すように、冷蔵庫１０の本体である断熱箱体１１は、前面が開口する鋼板製の外箱１２と、この外箱１２の内部に間隙を持たせて配設され、前面が開口する合成樹脂製の内箱１３と、を有する。外箱１２と内箱１３との間隙には、発泡ポリウレタン製の断熱材１４が充填発泡されている。尚、冷凍室１５および冷蔵室１６を塞ぐ断熱扉１７および断熱扉１８も、断熱箱体１１と同様に、断熱構造を有している。
【００２６】
冷凍室１５と、その下段に位置する冷蔵室１６とは、断熱仕切壁２３によって仕切られている。断熱仕切壁２３も、上記した断熱箱体１１と同様に、断熱構造を有している。
【００２７】
内箱１３の内部であって冷凍室１５の後方には、冷却室１９が形成されている。冷凍室１５と冷却室１９とは仕切部材２９で区画されている。冷却室１９の内部には、冷蔵庫１０内を循環する空気を冷却するための蒸発器である冷却器２１が配設されている。冷却器２１は、圧縮機２２、放熱器（図示せず）及びキャピラリーチューブ（図示せず）に、冷媒配管（図示せず）を介して接続されており、蒸気圧縮式の冷凍サイクル回路を構成する。冷却器２１で冷却された冷気が、送風機２０で冷凍室１５および冷蔵室１６に送風されることで、冷凍室１５は冷凍温度帯域に冷却され、冷蔵室１６は冷蔵温度帯域に冷却される。冷蔵室１６の内部は、ガラスや合成樹脂板から成る仕切棚３０で仕切られている。
【００２８】
図２および図３を参照して、冷蔵室１６に仕切棚３０および引出式収納容器３１が収納される構成を説明する。図２は冷蔵室１６の下部を前側上方から見た斜視図である。図３は、内箱１３、仕切棚３０および引出式収納容器３１を離した状況を、前側上方から見た斜視図である。
【００２９】
図２を参照して、仕切棚３０の直下には、引出式収納容器３１が配置されている。引出式収納容器３１は、例えば、野菜などの生鮮食品を貯蔵するための収納容器であり、前後方向に引き出すことが可能な状態で冷蔵室１６の最下部に配設されている。引出式収納容器３１の前面の上方部分を窪ませることで凹状部４９が形成されている。使用者は、凹状部４９に手を掛けて前方に引っ張ることで、取付部３７を前方に引き出すことができる。また、引出式収納容器３１の前面を後方に向かって押圧することで、引出式収納容器３１を冷蔵室１６に収納することができる。
【００３０】
図３を参照して、引出式収納容器３１は、射出成形された合成樹脂から成り、上部が開口する収納容器である。引出式収納容器３１の右側面の上端部を右方に向かって突出させることでレール部３８が形成されている。レール部３８は前後方向に沿って略直線状に形成されている。ここでは図示していないが、引出式収納容器３１の左側側面の上端部にもレール部３８が形成される。
【００３１】
内箱１３の左方側面を内側に向かって突出させることで上部凸状支持部２４および下部凸状支持部２５が形成されている。上部凸状支持部２４および下部凸状支持部２５は前後方向に沿って略直線状に形成されている。上下方向に於いて、上部凸状支持部２４と下部凸状支持部２５とが離間する幅は、引出式収納容器３１のレール部３８の幅と同程度である。また、内箱１３の右方側面にも、上部凸状支持部２４および下部凸状支持部２５が形成されている。上部凸状支持部２４および下部凸状支持部２５は、例えば、真空成形で形成されている。
【００３２】
引出式収納容器３１を冷蔵室１６に収納させると、引出式収納容器３１のレール部３８は、内箱１３の上部凸状支持部２４と下部凸状支持部２５との間でガイドされる。係るガイドにより、引出式収納容器３１の引出動作および収納動作を安定して行うことができる。
【００３３】
仕切棚３０の左右側両端部は、上部凸状支持部２４の上面により支持される。また、仕切棚３０の後方側端部は、冷蔵室１６の後面により支持される。
【００３４】
冷蔵室１６の側面部の内側に於いて、上部凸状支持部２４および下部凸状支持部２５の前方には、取付部３７が形成されている。取付部３７では、後述する支持部材３２に対応した窪み形状が形成されている。
【００３５】
支持部材３２は、略板状の部材であり、仕切棚３０および引出式収納容器３１の前方部分を支えるための冷蔵庫用支持部材である。支持部材３２は、図４を参照して後述する。
【００３６】
図４を参照して、引出式収納容器３１のレール部３８および支持部材３２を詳述する。図４（Ａ）は引出式収納容器３１の右方部分を前側上方から見た斜視図であり、図４（Ｂ）は左側に配置される支持部材３２を前側上方から見た斜視図であり、図４（Ｃ）は右側に配置される支持部材３２を前側上方から見た斜視図である。図４（Ｂ）に示す支持部材３２と、図４（Ｃ）に示す支持部材３２とは、同一の形状とされている。
【００３７】
図４（Ａ）を参照して、上記したように、引出式収納容器３１の側面の上端部を右方に向かって突出させることでレール部３８が形成されている。レール部３８は、引出式収納容器３１の前端付近から後端付近に至るまで、略直線状に形成されている。また、レール部３８は中抜き状に形成されており、このようにすることで引出式収納容器３１の軽量化を図ることができる。
【００３８】
レール部３８の前端部分を下方に略角柱状に突出させることで、前方当接部４５が形成されている。また、前方当接部４５の後方近傍に於いてレール部３８の下面を下方に隆起させることで下方隆起部４３が形成されている。更に、レール部３８の後端部近傍で、レール部３８を下方に突出させることで後方当接部４６が形成されている。
【００３９】
ここで、上記したように、引出式収納容器３１の左側にもレール部３８が設けられるが、左側のレール部３８にも、上記した前方当接部４５、下方隆起部４３および後方当接部４６は形成される。
【００４０】
図４（Ｂ）を参照して、支持部材３２は、当接板状部３５、収納容器ガイド部３４および仕切棚規制部３３を有している。支持部材３２は、例えば、射出成形された合成樹脂から成る。支持部材３２は、図３に示した仕切棚３０および引出式収納容器３１の前方部分を支持する部材である。
【００４１】
当接板状部３５は、右方から見て略矩形形状を呈する板状の部材である。当接板状部３５は、図３に示した冷蔵室１６の取付部３７と同等の大きさに形成されている。当接板状部３５の左方側の主面が、図３に示した内箱１３の取付部３７に当接する。
【００４２】
仕切棚規制部３３は、当接板状部３５の上方部分から右方に向かって突出するように形成されている。前後方向に於いて、仕切棚規制部３３の上面の中間部分には段差部４７が形成されている。仕切棚規制部３３の上面であって、段差部４７の後方には平坦な支持面４８が形成されている。仕切棚規制部３３は、軽量化等を実現するために、中抜き構造が採用されている。仕切棚規制部３３は、図３に示した仕切棚３０の位置を規制する部材である。
【００４３】
収納容器ガイド部３４は、当接板状部３５の下側前方部分から、右方に向かって突出するように形成されている。収納容器ガイド部３４は、略四角柱形状に突出しており、中抜き構造が採用されている。収納容器ガイド部３４は、図４（Ａ）に示した引出式収納容器３１のレール部３８を、下方から摺動可能にガイドする部材である。
【００４４】
図４（Ｃ）を参照して、当接板状部３５を貫通する複数の取付孔３６が形成されている。取付孔３６を貫通するビスなどの締結手段により、支持部材３２は、図３に示した冷蔵室１６の取付部３７に固定される。
【００４５】
詳細は後述するが、引出式収納容器３１が冷蔵室１６に収納される収納状態では、引出式収納容器３１の前方当接部４５および下方隆起部４３が、支持部材３２の収納容器ガイド部３４に接する。一方、引出式収納容器３１が冷蔵室１６から引き出される引出状態では、引出式収納容器３１の後方当接部４６が、支持部材３２の収納容器ガイド部３４に当接する。
【００４６】
図５を参照して、仕切棚３０の構成を説明する。仕切棚３０は、仕切棚前部３９と、仕切棚後部４０とを有する。図５は、仕切棚前部３９と仕切棚後部４０とを前後方向に離して示す分解斜視図である。
【００４７】
仕切棚前部３９は、略板状に射出成形された合成樹脂から成り、その後部には溝４１が形成されている。溝４１は、仕切棚前部３９の左方端部から右方端部まで連続して形成される。溝４１は、仕切棚後部４０の前端部を収納できる大きさとされている。
【００４８】
仕切棚後部４０は、ガラス板や透明樹脂板から成る板状の部材である。仕切棚後部４０の前端部は仕切棚前部３９の溝４１に挿入される。仕切棚後部４０の後端部は、図３に示した内箱１３の後方側面により支持される。また、仕切棚後部４０の左右端部は、図３に示した上部凸状支持部２４により支持される。
【００４９】
図６に、支持部材３２が仕切棚３０を支持する構成を説明する。図６（Ａ）は、仕切棚３０および支持部材３２を後側下方から見た斜視図であり、図６（Ｂ）は、左方側の支持部材３２と仕切棚３０とを上下方向に離した状態を後側下方から見た斜視図である。
【００５０】
図６（Ａ）を参照して、支持部材３２は、仕切棚前部３９の後方側端部を下方から支持している。仕切棚前部３９は射出成形された厚い合成樹脂から成り、板状体である仕切棚後部４０よりも機械的強度が大きい。よって、仕切棚前部３９の両端部に下方から支持部材３２が当接して仕切棚３０を支持することにより、仕切棚３０の上下方向に於ける位置を正確に規定することができる。
【００５１】
図６（Ｂ）を参照して、仕切棚前部３９の左側後方端部を下方に向かって四角柱形状に突出させることで下方突出部４２が形成されている。下方突出部４２の下面は、仕切棚規制部３３の支持面４８に当接する。これにより、仕切棚３０の上下方向の位置が規定される。また、下方突出部４２の前面は、仕切棚規制部３３の段差部４７に当接する。これにより、仕切棚３０の前後方向に於ける位置が規定される。
【００５２】
ここでは図示しないが、仕切棚前部３９の右方側端部にも下方突出部４２は形成され、右方側に配置された支持部材３２の仕切棚規制部３３により、右方側の下方突出部４２が支持される。
【００５３】
図７を参照して、支持部材３２の収納容器ガイド部３４により引出式収納容器３１が支持される構成を説明する。図７（Ａ）は冷蔵室１６の下部を示す断面図であり、図７（Ｂ）は図７（Ａ）において点線で囲まれた部分を拡大して示す断面図である。図７（Ａ）および図７（Ｂ）では、支持部材３２を点線で示している。
【００５４】
図７（Ａ）および図７（Ｂ）を参照して、レール部３８の下面に、収納容器ガイド部３４の上面が当接することで、上下方向に於ける、引出式収納容器３１の前部の位置は規定されている。
【００５５】
引出式収納容器３１が冷蔵室１６に収納されている状況では、レール部３８の前方当接部４５の後面は、支持部材３２の収納容器ガイド部３４の前面に当接している。更に、収納容器ガイド部３４の後方直近には、下方隆起部４３が配設されている。即ち、前後方向に於いて、収納容器ガイド部３４は、レール部３８の前方当接部４５および下方隆起部４３で挟まれている。これにより、引出式収納容器３１の前後方向の位置が規定される。
【００５６】
本実施の形態では、支持部材３２で仕切棚３０および引出式収納容器３１を支持している。よって、仕切棚３０および引出式収納容器３１の相対的位置を正確に規定することができる。このことから、仕切棚３０と引出式収納容器３１との間隙４４の幅Ｌ１０を、所定の長さにすることができる。よって、間隙４４を流通する冷気の流量を一定量にすることができ、引出式収納容器３１の内部を所定の温度帯域に冷却することができる。このことから、引出式収納容器３１に収納される野菜などの被貯蔵物を、効果的に冷却貯蔵することができる。
【００５７】
また、支持部材３２を構成する仕切棚規制部３３および収納容器ガイド部３４は、射出成形により一体的に形成される。よって、仕切棚規制部３３と収納容器ガイド部３４との相対的な位置精度は非常に高い。このことから、仕切棚規制部３３により支えられる仕切棚３０と、収納容器ガイド部３４により支えられる引出式収納容器３１との相対的な位置精度も高くすることができ、間隙４４を所定の大きさとすることができる。
【００５８】
更に、図４（Ｃ）に示したように、支持部材３２は、当接板状部３５に形成された複数の当接板状部３５を貫通する締結手段により、内箱１３（図３）の取付部３７に取り付けられる。よって、支持部材３２を安定的に所定位置に取り付けることができる。
【００５９】
図８を参照して、支持部材３２の他の形態を説明する。図８（Ａ）は支持部材３２を右側上方から見た斜視図であり、図８（Ｂ）は支持部材３２が仕切棚３０および引出式収納容器３１の位置を規制する状況を示す断面図である。
【００６０】
図８（Ａ）を参照して、ここに示す支持部材３２は、図３（Ｂ）に示した支持部材３２と比較すると、仕切棚規制部３３の形状が異なる。具体的には、仕切棚規制部３３は、略四角柱形状を呈している。ここでも、仕切棚規制部３３は、中抜き構造が採用されている。また、仕切棚規制部３３は、当接板状部３５の上側後部に形成されている。
【００６１】
図８（Ｂ）を参照して、仕切棚規制部３３は、仕切棚前部３９の下面に下方から接している。また、仕切棚規制部３３は、仕切棚前部３９の下方突出部４２に前方から当接している。これにより、仕切棚規制部３３により、上下方向および前後方向に於いて、仕切棚３０の位置は正確に規制される。
【００６２】
以上、本発明の実施形態を示したが、本発明は、上記実施形態に限定されるものではない。
【符号の説明】
【００６３】
１０   冷蔵庫
１１   断熱箱体
１２   外箱
１３   内箱
１４   断熱材
１５   冷凍室
１６   冷蔵室
１７   断熱扉
１８   断熱扉
１９   冷却室
２０   送風機
２１   冷却器
２２   圧縮機
２３   断熱仕切壁
２４   上部凸状支持部
２５   下部凸状支持部
２９   仕切部材
３０   仕切棚
３１   引出式収納容器
３２   支持部材
３３   仕切棚規制部
３４   収納容器ガイド部
３５   当接板状部
３６   取付孔
３７   取付部
３８   レール部
３９   仕切棚前部
４０   仕切棚後部
４１   溝
４２   下方突出部
４３   下方隆起部
４４   間隙
４５   前方当接部
４６   後方当接部
４７   段差部
４８   支持面
４９   凹状部
【図１】
2020020527.tif 000003
【図２】
2020020527.tif 000004
【図３】
2020020527.tif 000005
【図４】
2020020527.tif 000006
【図５】
2020020527.tif 000007
【図６】
2020020527.tif 000008
【図７】
2020020527.tif 000009
【図８】
2020020527.tif 000010